(57)【要約】【課題】携帯用情報機器と拡張装置との間をがたつきなく安定して装着することができる電子機器及び電子機器の拡張装置を提供する。【解決手段】電子機器１０は、携帯用情報機器であるタブレット型ＰＣ１２と、タブレット型ＰＣ１２の機能を拡張する拡張装置１４とを備える。拡張装置１４の装着部３２は、タブレット型ＰＣ１２の被装着部１６に設けられた係合穴２０に対して挿入された非係合位置から係合穴２０に対して係合する係合位置に向かう係合方向に移動可能に設けられると共に、係合方向と直交する方向であってタブレット型ＰＣ１２を拡張装置１４側に引き寄せる引寄方向に移動可能に設けられたフック３６と、フック３６を係合方向及び引寄方向に移動させる操作部材である着脱操作レバー３８とを有する。【選択図】図８
2017116988.tif 000002
【特許請求の範囲】
【請求項１】
一側面に被装着部が設けられた携帯用情報機器と、前記被装着部に対して着脱可能な装着部を有し、前記携帯用情報機器の機能を拡張する拡張装置とを備え、前記装着部を前記被装着部に装着することで前記拡張装置を前記携帯用情報機器に対して装着可能な電子機器であって、
前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、
前記フックを前記係合方向及び前記引寄方向に移動させる操作部材と、を有することを特徴とする電子機器。
【請求項２】
請求項１記載の電子機器において、
前記装着部は、前記携帯用情報機器の被装着部に設けられた位置決め穴に対して挿入される位置決め突起を備えることを特徴とする電子機器。
【請求項３】
請求項１又は２記載の電子機器において、
前記装着部は、前記フックを前記係合方向及び該係合方向の逆方向である係合解除方向に移動可能に支持したベース部材を有し、
前記操作部材は、前記フックのフック側カム面を押圧することで該フックを前記係合方向に移動させるフック押圧部と、前記ベース部材のベース側カム面を押圧することで前記ベース部材を前記引寄方向に移動させるベース押圧部とを有することを特徴とする電子機器。
【請求項４】
請求項３記載の電子機器において、
前記装着部は、前記フックを前記ベース部材に対して前記係合解除方向に向かって付勢する第１弾性部材と、
前記ベース部材を前記拡張装置の筐体に対して前記引寄方向の逆方向に向かって付勢する第２弾性部材とを有することを特徴とする電子機器。
【請求項５】
請求項４記載の電子機器において、
前記フックと前記ベース部材との間には、第３弾性部材が介在しており、
前記装着部は、前記ベース部材が前記引寄方向に移動した際に前記フックを前記第３弾性部材を介して前記引寄方向に移動させることを特徴とする電子機器。
【請求項６】
請求項３〜５のいずれか１項に記載の電子機器において、
前記操作部材は、前記拡張装置の筐体の外面に対して横臥した装着位置から前記外面から起立した装着解除位置に回動可能に設けられたレバー部材であることを特徴とする電子機器。
【請求項７】
請求項１〜６のいずれか１項に記載の電子機器において、
前記携帯用情報機器は、タッチ操作可能なディスプレイを備えたタブレット型のパーソナルコンピュータであることを特徴とする電子機器。
【請求項８】
被装着部が設けられた携帯用情報機器の前記被装着部に対して着脱可能な装着部を有し、前記携帯用情報機器の機能を拡張する電子機器の拡張装置であって、
前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、
前記フックを前記係合方向及び前記引寄方向に移動させる操作部材と、を有することを特徴とする電子機器の拡張装置。
【発明の詳細な説明】
【技術分野】
【０００１】
本発明は、携帯用情報機器と該携帯用情報機器に対して着脱可能な拡張装置とを備える電子機器及び電子機器の拡張装置に関する。
【背景技術】
【０００２】
例えばタブレット型パーソナルコンピュータ（タブレット型ＰＣ）のような携帯用情報機器は、可搬性や取扱い性を考慮して軽量コンパクトに構成されており、その機能が制限されている場合が多い。例えばタブレット型ＰＣでは複数の外部機器接続用のＩ／Ｏポートや大容量のバッテリ装置等を搭載することが難しい。
【０００３】
そこで本出願人は特許文献１において、タブレット型ＰＣを装着することでタブレット型ＰＣのキーボード機能やバッテリ機能を拡張する拡張装置を提案している。この構成では、左右方向に弾性付勢された拡張装置側のフックがタブレット型ＰＣ側の係合穴に係合することで拡張装置にタブレット型ＰＣが接続される。
【先行技術文献】
【特許文献】
【０００４】
【特許文献１】特開２０１４−９９００７号公報
【発明の概要】
【発明が解決しようとする課題】
【０００５】
上記特許文献１記載の構成では、キーボード装置を備えた大型の拡張装置の後端部上面に対してタブレット型ＰＣを着脱可能に接続し、ノートブック型パーソナルコンピュータ（ノート型ＰＣ）のように利用できる構成となっている。このため、タブレット型ＰＣを拡張装置に接続した状態でのがたつきが少なく、安定した使用が可能である。
【０００６】
ところで、上記特許文献１記載の構成のように大型の拡張装置でなく、小型の拡張装置をタブレット型ＰＣに接続して使用する場合は、拡張装置を装着したタブレット型ＰＣを通常のタブレット型ＰＣと同様に手で把持して使用することが多い。従って、このような構成の場合は、拡張装置とタブレット型ＰＣとの間でがたつきを生じることのない安定した装着状態が求められる。特にタブレット型ＰＣはその側面が薄型構造とされているため、使用時のがたつきをなくすためには拡張装置との間でより安定した強固な装着構造が必要となる。
【０００７】
本発明は、上記従来技術の課題を考慮してなされたものであり、携帯用情報機器と拡張装置との間をがたつきなく安定して装着することができる電子機器及び電子機器の拡張装置を提供することを目的とする。
【課題を解決するための手段】
【０００８】
本発明に係る電子機器は、一側面に被装着部が設けられた携帯用情報機器と、前記被装着部に対して着脱可能な装着部を有し、前記携帯用情報機器の機能を拡張する拡張装置とを備え、前記装着部を前記被装着部に装着することで前記拡張装置を前記携帯用情報機器に対して装着可能な電子機器であって、前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、前記フックを前記係合方向及び前記引寄方向に移動させる操作部材とを有することを特徴とする。
【０００９】
また、本発明に係る電子機器の拡張装置は、被装着部が設けられた携帯用情報機器の前記被装着部に対して着脱可能な装着部を有し、前記携帯用情報機器の機能を拡張する電子機器の拡張装置であって、前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、前記フックを前記係合方向及び前記引寄方向に移動させる操作部材とを有することを特徴とする。
【００１０】
このような構成によれば、拡張装置を携帯用情報機器に装着する際に操作部材を操作してフックを係合穴に係合させる。これにより、フックを係合穴に係合させると、フックによって携帯用情報機器と拡張装置との間が互いに引き寄せられた装着状態となる。このため、タブレット型ＰＣのように側面が薄型構造の携帯用情報機器であっても拡張装置をがたつきなく安定して装着することができる。
【００１１】
前記装着部は、前記携帯用情報機器の被装着部に設けられた位置決め穴に対して挿入される位置決め突起を備える構成であってもよい。そうすると、拡張装置を携帯用情報機器に装着した状態では、位置決め突起が位置決め穴に嵌挿された状態となる。このため、拡張装置と携帯用情報機器との間を一層安定して装着することができ、互いに装着された側面間を回動軸として互いを回動させる方向の折り曲げ強度も向上する。
【００１２】
前記装着部は、前記フックを前記係合方向及び該係合方向の逆方向である係合解除方向に移動可能に支持したベース部材を有し、前記操作部材は、前記フックのフック側カム面を押圧することで該フックを前記係合方向に移動させるフック押圧部と、前記ベース部材のベース側カム面を押圧することで前記ベース部材を前記引寄方向に移動させるベース押圧部とを有する構成であってもよい。
【００１３】
前記装着部は、前記フックを前記ベース部材に対して前記係合解除方向に向かって付勢する第１弾性部材と、前記ベース部材を前記拡張装置の筐体に対して前記引寄方向の逆方向に向かって付勢する第２弾性部材とを有する構成であってもよい。そうすると、フック及びベース部材のがたつきが防止されると共に、操作部材のフック押圧部及びベース押圧部でフック及びベース部材を円滑に押圧移動させることができる。
【００１４】
前記フックと前記ベース部材との間には、第３弾性部材が介在しており、前記装着部は、前記ベース部材が前記引寄方向に移動した際に前記フックを前記第３弾性部材を介して前記引寄方向に移動させる構成としてもよい。すなわち、操作部材によってフックで係合穴を引き寄せる際に、操作部材で押圧されるベース部材とフックとの間に第３弾性部材が介在している。このため、フックを係合穴に確実に密着させることができる。しかも、フックは、第３弾性部材によって係合穴を引寄方向に弾性的に付勢した状態となるため、フックと係合穴との間が強固にがたつきなく係合した状態となる。
【００１５】
前記操作部材は、前記拡張装置の筐体の外面に対して横臥した装着位置から前記外面から起立した装着解除位置に回動可能に設けられたレバー部材であってもよい。そうすると、操作部材によってフックを円滑に操作することができ、しかも装着位置にある操作部材は拡張装置の筐体と一体的に配置されるため、拡張装置の外観を損なうこともない。
【００１６】
前記携帯用情報機器は、タッチ操作可能なディスプレイを備えたタブレット型のパーソナルコンピュータであってもよい。
【発明の効果】
【００１７】
本発明によれば、拡張装置を携帯用情報機器に装着する際に操作部材を操作してフックを係合穴に係合させる。これにより、フックを係合穴に係合させると、フックによって携帯用情報機器と拡張装置との間が互いに引き寄せられた装着状態となる。このため、タブレット型ＰＣのように側面が薄型構造の携帯用情報機器であっても拡張装置をがたつきなく安定して装着することができる。
【図面の簡単な説明】
【００１８】
【図１】図１は、本発明の一実施形態に係る電子機器の斜視図である。
【図２】図２は、図１に示す拡張装置をタブレット型ＰＣから取り外した状態での底面図である。
【図３】図３は、図２に示す拡張装置としてプロジェクタモジュールを備えた構成を示した図である。
【図４】図４は、拡張装置の装着部の構成を説明するための斜視説明図である。
【図５】図５は、図４に示す状態から着脱操作レバーを倒した状態を示す斜視説明図である。
【図６】図６は、拡張装置側のフックをタブレット型ＰＣ側の係合穴に挿入した状態を模式的に示す説明図であり、図６（Ａ）は、平面断面図を示し、図６（Ｂ）は、着脱操作レバー付近の側面図である。
【図７】図７は、図６に示す状態から着脱操作レバーを倒し操作した状態を模式的に示す説明図であり、図７（Ａ）は、平面断面図を示し、図７（Ｂ）は、着脱操作レバー付近の側面図である。
【図８】図８は、図７に示す状態から着脱操作レバーをさらに倒し操作してフックを係合穴に完全に係合させた状態を模式的に示す説明図であり、図８（Ａ）は、平面断面図を示し、図８（Ｂ）は、着脱操作レバー付近の側面図である。
【図９】図９は、着脱操作レバーを起こした状態での装着部の要部拡大斜視図である。
【図１０】図１０は、図９に示す状態から着脱操作レバーを倒した状態での装着部の要部拡大斜視図である。
【図１１】図１１は、拡張装置をタブレット型ＰＣに装着する直前の状態を示す分解斜視図である。
【図１２】図１２は、図１１に示す状態から拡張装置をタブレット型ＰＣに装着した状態を示す斜視図である。
【図１３】図１３は、タブレット型ＰＣにカバー部材を装着する直前の状態での底面図である。
【図１４】図１４は、図１３に示すカバー部材及びタブレット型ＰＣを背面側から見た斜視図である。
【図１５】図１５は、タブレット型ＰＣにカバー部材を装着した状態での底面図である。
【図１６】図１６は、カバー部材側のフックをタブレット型ＰＣ側の係合穴に挿入する直前の状態を模式的に示す平面断面図である。
【図１７】図１７は、図１６に示す状態からフックを係合穴に挿入した状態を模式的に示す平面断面図である。
【図１８】図１８は、図１７に示す状態からカバー部材をスライドさせ、フックを係合穴に完全に係合させた状態を模式的に示す平面断面図である。
【図１９】図１９は、カバー部材側のフックをタブレット型ＰＣ側の係合穴に係合させた状態からロック解除部材を操作した状態を模式的に示す平面断面図である。
【発明を実施するための形態】
【００１９】
以下、本発明に係る電子機器について好適な実施の形態を挙げ、添付の図面を参照しながら詳細に説明する。
【００２０】
図１は、本発明の一実施形態に係る電子機器１０の斜視図であり、タブレット型ＰＣ１２に拡張装置１４を装着して起立させた状態を示している。図２は、図１に示す拡張装置１４をタブレット型ＰＣ１２から取り外した状態での底面図である。
【００２１】
本実施形態に係る電子機器１０は、携帯用情報機器であるタブレット型ＰＣ１２の一側面１２ａに拡張装置１４を装着することで、タブレット型ＰＣ１２の電源機能及び周辺機器やネットワークに対する拡張機能等を拡張・補強するものである。携帯用情報機器はタブレット型ＰＣ１２以外であっても勿論よく、例えばノート型ＰＣやスマートフォン等であってもよい。
【００２２】
図１及び図２に示すように、タブレット型ＰＣ１２は、タッチパネル式の液晶表示部からなるディスプレイ１２ｂを備える。タブレット型ＰＣ１２は、その内部に基板、図示しない演算装置及びメモリ等の各種電子部品を収納している。タブレット型ＰＣ１２の一側面１２ａには、拡張装置１４が装着される被装着部１６が設けられている。
【００２３】
被装着部１６は、タブレット型ＰＣ１２の左右両端側に設けられた一対の位置決め穴１９，１９と、左右の位置決め穴１９，１９間に設けられた４個の係合穴２０とを備える。さらに一側面１２ａの略中央には、コネクタである端子２２，２３が突設されている。端子２２は、例えば当該タブレット型ＰＣ１２の外部の電源装置或いは拡張装置１４との電気的な接続に用いられる。端子２３は、例えば当該タブレット型ＰＣ１２と拡張装置１４との間の電気的な接続に用いられる。
【００２４】
タブレット型ＰＣ１２は、ディスプレイ１２ｂ側の裏面となる背面１２ｃにスタンド部１８を備える。スタンド部１８は、一側面１２ａ近傍で該一側面１２ａに沿った軸方向を有する回動軸１８ａを中心に回動可能な矩形状のプレートである。スタンド部１８は、回動軸１８ａを中心に開放端１８ｂを背面１２ｃから離間する方向に略９０度回動させることで該背面１２ｃから略垂直方向に突出する。これによりスタンド部１８は、例えば図１に示すような所望の起立姿勢にタブレット型ＰＣ１２を起立保持することが可能となる。
【００２５】
拡張装置１４は、筐体２４と、筐体２４の外面に露出した接続端子部２５，２６とを備えたカートリッジ型の装置である。筐体２４は、一側側に絞り形状を有し、タブレット型ＰＣ１２の一側面１２ａに沿って延在する断面略涙形の棒形状に形成されている。筐体２４の長手方向寸法は、タブレット型ＰＣ１２の一側面１２ａの幅寸法と略同一に設定してある。
【００２６】
拡張装置１４は、接続端子部２５（２６）がタブレット型ＰＣ１２の端子２２（２３）に接続されることにより、タブレット型ＰＣ１２にＩ／Ｏポート２８（図１参照）やバッテリ装置２９（図２参照）を増設する機器である。拡張装置１４は、ＨＤＭＩ（登録商標）やＵＳＢ等の所定の接続規格のコネクタを搭載していてもよい。
【００２７】
拡張装置１４は、図３に示すようにプロジェクタモジュール３０を搭載した構成であってもよい。プロジェクタモジュール３０は、例えば筐体２４に回転可能に設けられた筒形筐体３０ａと、筒形筐体３０ａの外周面に設けられた投射レンズ３０ｂとを有して構成される。拡張装置１４は、プロジェクタモジュール３０に代えて図示しない２Ｄカメラや３Ｄカメラ等のカメラモジュールを搭載していてもよい。
【００２８】
筐体２４の絞り形状の先端側に形成された一側面２４ａには、タブレット型ＰＣ１２の被装着部１６に対して着脱される装着部３２が設けられている。装着部３２は、タブレット型ＰＣ１２の各位置決め穴１９に挿入される一対の位置決め突起３４，３４と、４個の係合穴２０のうちの２個の係合穴２０に係合される一対のフック３６，３６とを備える。また、筐体２４の外面には左右一対の着脱操作レバー（操作部材）３８，３８が回動可能に設けられている。各着脱操作レバー３８は、それぞれ近接位置にある各フック３６を操作するためのものである。
【００２９】
次に、このようなタブレット型ＰＣ１２に対する拡張装置１４の具体的な着脱構造を説明する。
【００３０】
図４は、拡張装置１４の装着部３２の構成を説明するための斜視説明図であり、着脱操作レバー３８を起こした状態を示す。図５は、図４に示す状態から着脱操作レバー３８を倒した状態を示す斜視説明図である。図６〜図８は、拡張装置１４側のフック３６をタブレット型ＰＣ１２側の係合穴２０に係合させる動作を模式的に示す説明図である。図６〜図８において、各図（Ａ）は平面断面図を示し、各図（Ｂ）は着脱操作レバー３８付近の側面図である。また、図９は、着脱操作レバー３８を起こした状態での装着部３２の要部拡大斜視図であり、図１０は、図９に示す状態から着脱操作レバー３８を倒した状態での装着部３２の要部拡大斜視図である。
【００３１】
図４〜図８に示すように、装着部３２は、フック３６と、フック３６を保持するベース部材４０と、ベース部材４０を介してフック３６を可動させる着脱操作レバー３８とを備える。これらフック３６、ベース部材４０及び着脱操作レバー３８は、金属薄板を略Ｕ字屈曲させたブラケット４２を介して筐体２４の内部に取り付けられている（図４参照）。
【００３２】
フック３６は、筐体２４の一側面２４ａに長手方向に沿って形成された長孔２４ｃから突出しており、この突出した先端に係合爪部３６ａを有する。フック３６の基端側側面には突起が設けられており、この突起の側面には着脱操作レバー３８のフック押圧部３８ａによって押圧されるフック側第１カム面（フック側カム面）３６ｂが形成されている。フック側第１カム面３６ｂは、フック３６の基端から先端に向かう方向で係合爪部３６ａ側とは反対側に傾斜した傾斜面である。
【００３３】
フック３６の基端側には、略直方体形状のスライダ部４４が一体形成されている。スライダ部４４におけるフック３６の根本部分となる位置には、フック側第１カム面３６ｂと対向するようにフック側第２カム面４４ａが形成されている。フック側第２カム面４４ａは、フック３６の先端から基端に向かう方向で係合爪部３６ａ側に傾斜した傾斜面である。フック側第２カム面４４ａは、フック側第１カム面３６ｂとは逆方向の着脱操作レバー３８の回動動作時にフック押圧部３８ａにより押圧される部分である（図９及び図１０参照）。
【００３４】
フック３６は、スライダ部４４を介してベース部材４０に対して左右方向（一側面２４ａの長手方向に沿う方向）に移動可能な状態で支持されている。スライダ部４４の側面とベース部材４０を構成する中継部材４６との間にはコイルばね（第１弾性部材）４８が介在している。コイルばね４８は、フック３６をベース部材４０に対して係合方向（図６中で右方向）とは逆方向の係合解除方向（図６中で左方向）に常時付勢している。
【００３５】
ベース部材４０は、ブラケット４２の内側で前後方向（一側面２４ａに対して接離する方向）に移動可能に支持されたベーススライダ部材５０と、ベーススライダ部材５０の内側に該ベーススライダ部材５０と相対的に前後方向に移動可能に収納された中継部材４６とを有する。
【００３６】
ベーススライダ部材５０は、中央に中継部材４６を収容した凹部５０ａを有し、左右側面にそれぞれベース側カム面５０ｂを有する。各ベース側カム面５０ｂは、フック３６の基端から先端に向かう方向で次第に着脱操作レバー３８から離間する方向に傾斜した傾斜面である。各ベース側カム面５０ｂは、着脱操作レバー３８に設けられた左右一対のベース押圧部３８ｂ，３８ｂによって押圧される部分である。
【００３７】
ベーススライダ部材５０のフック３６側とは反対側の面とブラケット４２の内面との間にはコイルばね（第２弾性部材）５２が介在している。コイルばね５２は、ブラケット４２（筐体２４）に対してベーススライダ部材５０（ベース部材４０）をフック３６が長孔２４ｃから突出する方向（図６中で上方向）に常時付勢している。
【００３８】
中継部材４６は、内側にフック３６のスライダ部４４をスライド可能に収容する収容空間４６ａを有する。中継部材４６の左右側面から突出したフランジ部４６ｂと、ベーススライダ部材５０の凹部５０ａを形成する左右のフランジ部５０ｃとの間には、それぞれコイルばね（第３弾性部材）５４が介在している。各コイルばね５４は、ベーススライダ部材５０に対して中継部材４６をフック３６が長孔２４ｃに引き込まれる方向（図６中で下方向）に常時付勢している。
【００３９】
着脱操作レバー３８は、左右の回動軸５６を介して筐体２４に回動可能に支持されている。回動軸５６が設けられた着脱操作レバー３８の回動基端部分には、上記した一方のベース押圧部３８ｂ、フック押圧部３８ａ及び他方のベース押圧部３８ｂが軸方向に順に並んで設けられている。着脱操作レバー３８は、筐体２４の外面に対して横臥され、該外面に形成されたレバー収容凹部５８に収容された装着位置（図５及び図８（Ｂ）参照）から、筐体２４の外面から起立した装着解除位置（図４及び図６（Ｂ）参照）に回動可能に設けられている。これにより、フック３６を円滑に操作することができ、しかも装着位置にある着脱操作レバー３８は筐体２４と一体になるため、拡張装置１４の外観を損なうこともない。
【００４０】
次に、タブレット型ＰＣ１２に対する拡張装置１４の着脱動作を説明する。
【００４１】
図１１は、拡張装置１４をタブレット型ＰＣ１２に装着する直前の状態を示す分解斜視図であり、図１２は、図１１に示す状態から拡張装置１４をタブレット型ＰＣ１２に装着した状態を示す斜視図である。
【００４２】
拡張装置１４をタブレット型ＰＣ１２に装着する際には、図１１に示すように各着脱操作レバー３８のレバー部分を筐体２４の外面から起こした装着解除位置とする。この状態では、図４、図６（Ａ）及び図６（Ｂ）に示すように着脱操作レバー３８のフック押圧部３８ａ及びベース押圧部３８ｂによるフック側第１カム面３６ｂ及びベース側カム面５０ｂに対する押圧力が解除されている。このため、装着部３２では、ベース部材４０がコイルばね５２の付勢力によってフック３６を長孔２４ｃから突出させる前進位置にあり、同時にフック３６はコイルばね４８の付勢力によって係合爪部３６ａが係合穴２０の開口縁部（係止片）２０ａから後退した非係合位置にある。
【００４３】
続いて、拡張装置１４の装着部３２を構成する各位置決め突起３４及び各フック３６をタブレット型ＰＣ１２の被装着部１６を構成する各位置決め穴１９及び係合穴２０に対して挿入し、接続端子部２５（２６）を端子２２（２３）に接続する。
【００４４】
次いで、図７（Ｂ）に示すように各着脱操作レバー３８のレバー部分を筐体２４の外面に対して押し倒す。そうすると、図７（Ａ）、図７（Ｂ）及び図１０に示すように着脱操作レバー３８のフック押圧部３８ａによってフック側第１カム面３６ｂが押圧され、コイルばね４８の付勢力に抗してフック３６が係合穴２０に対する係合方向に移動し、係合爪部３６ａが係合穴２０の開口縁部２０ａに係合した係合位置になる。
【００４５】
さらに、図５、図８（Ｂ）及び図１２に示すように各着脱操作レバー３８のレバー部分を筐体２４の外面に対して押し倒し、着脱操作レバー３８が筐体２４の外面に形成されたレバー収容凹部５８に収容された装着位置とする。そうすると、着脱操作レバー３８のベース押圧部３８ｂによってベース側カム面５０ｂが押圧され、コイルばね５２の付勢力に抗してベース部材４０が後退位置に移動する（図８（Ａ）参照）。その結果、フック３６は係合爪部３６ａが係合穴２０の開口縁部２０ａを拡張装置１４側に引き寄せる引寄方向（図８（Ａ）中で下方向）に移動する。
【００４６】
この際、ベース部材４０は、フック３６を前後方向に移動不能に保持した中継部材４６と、中継部材４６を前後方向に移動可能に保持したベーススライダ部材５０とを有し、中継部材４６とベーススライダ部材５０との間にコイルばね５４が介在している。これにより、着脱操作レバー３８のベース押圧部３８ｂによってベース側カム面５０ｂが押圧されると、ベーススライダ部材５０はコイルばね５４を介して中継部材４６、つまりフック３６を引寄方向に移動させる（図８（Ａ）参照）。このため、フック３６は、コイルばね５４を介して係合爪部３６ａが係合穴２０の開口縁部２０ａを引寄方向に弾性的に付勢した状態となり、フック３６と係合穴との間が強固にがたつきなく係合した状態となる。
【００４７】
この状態では、着脱操作レバー３８のフック押圧部３８ａがフック３６のフック側第１カム面３６ｂを形成する突起の側面に当接配置され（図８（Ａ）及び図１０参照）、フック３６の係合解除方向への移動が規制されている。その結果、拡張装置１４がタブレット型ＰＣ１２に対して一体的に安定して装着される。さらにこの状態では、図８（Ｂ）に示すように着脱操作レバー３８のベース押圧部３８ｂがベーススライダ部材５０のベース側カム面５０ｂに設けられた凹部５０ｄに嵌り込む。これにより、着脱操作レバー３８ががたつきなく安定して装着位置に保持される。
【００４８】
一方、図８（Ａ）に示す装着状態を解除する際は、着脱操作レバー３８を起こして装着解除位置とする。そうすると、図９中に破線矢印で示したように着脱操作レバー３８のフック押圧部３８ａが今度はフック３６のフック側第２カム面４４ａを押圧する。これにより、着脱操作レバー３８のフック押圧部３８ａによるフック３６の係合解除方向への移動規制が解除されると同時に、フック３６が係合解除方向に移動する。この際、フック３６はコイルばね４８によっても係合解除方向に付勢される。その結果、図４及び図６（Ａ）に示すようにフック３６の係合穴２０に対する係合状態が解除されるため、拡張装置１４をタブレット型ＰＣ１２から引き離すことで拡張装置１４をタブレット型ＰＣ１２から取り外すことができる。
【００４９】
ところで、本実施形態に係る電子機器１０を構成するタブレット型ＰＣ１２は、拡張装置１４を装着しない単独の状態で使用されることもある。この状態では、被装着部１６の段差や凹凸形状、さらには使用されない端子２２又は端子２３が一側面１２ａに露出してしまう。そこで当該電子機器１０では、タブレット型ＰＣ１２を単独で使用する場合は拡張装置１４に代えてカバー部材６０（図１３参照）を被装着部１６に対して装着することができる。タブレット型ＰＣ１２は、装着されたカバー部材６０によって一側面１２ａの外観品質が確保され、不要な端子２２又は端子２３の保護が図られる。
【００５０】
次に、拡張装置１４に代えてタブレット型ＰＣ１２の被装着部１６に装着されるカバー部材６０の構成を説明する。
【００５１】
図１３は、タブレット型ＰＣ１２にカバー部材６０を装着する直前の状態での底面図であり、図１４は、図１３に示すカバー部材６０及びタブレット型ＰＣ１２を背面１２ｃ側から見た斜視図である。また図１５は、タブレット型ＰＣ１２にカバー部材６０を装着した状態での底面図である。
【００５２】
図１３〜図１５に示すように、カバー部材６０は、タブレット型ＰＣ１２の一側面１２ａに沿って延在する棒形状の端部部材である。カバー部材６０はタブレット型ＰＣ１２に装着された状態で該タブレット型ＰＣ１２の外形面を形成するため、その長手方向寸法はタブレット型ＰＣ１２の一側面１２ａの幅寸法と略同一に設定してある。カバー部材６０の一側面６０ａには、タブレット型ＰＣ１２の被装着部１６に対して着脱される装着部６２が設けられている。
【００５３】
装着部６２は、一側面６０ａの長手方向に沿って６個並設され、それぞれが一側面６０ａから突出したフック６４と、一側面６０ａから進退可能に突出したロックピン６６とを備える。一側面６０ａとは反対側の他側面６０ｂにおけるロックピン６６と近接する位置には、ロックピン６６のロック状態を解除するロック解除部材６８が設けられている。中央側に並んだ４個のフック６４はそれぞれタブレット型ＰＣ１２の係合穴２０に係合される。左右両端のフック６４はそれぞれタブレット型ＰＣ１２の位置決め穴１９に係合される。つまり位置決め穴１９はカバー部材６０に対しては係合穴１９として機能するものであり、係合穴２０と同様な開口縁部２０ａを有する構造となっている（図１６参照）。ロックピン６６はタブレット型ＰＣ１２の一側面１２ａに形成されたロック穴７０に挿入される。
【００５４】
カバー部材６０は、タブレット型ＰＣ１２に装着された際に端子２２に対応する位置に端子逃げ孔７２を有し、端子２３に対応する位置に端子逃げ凹部７４を有する。端子逃げ孔７２は端子２２を挿通させる孔部であり、カバー部材６０を装着した状態で端子２２をタブレット型ＰＣ１２の外形面となる他側面６０ｂ側から利用可能とするものである。端子逃げ凹部７４は端子２３を収容・保護する凹部であり、カバー部材６０を装着した状態で端子２３がタブレット型ＰＣ１２の外形面となる他側面６０ｂ側に露出することを防止するものである。
【００５５】
カバー部材６０の他側面６０ｂには、中央の端子逃げ孔７２を跨ぐように一対の磁石７６，７６が設けられている。磁石７６は、図示しないキーボードユニット等の外部機器をカバー部材６０を装着した状態のタブレット型ＰＣ１２に対して装着する際等に利用される。
【００５６】
次に、このようなタブレット型ＰＣ１２に対するカバー部材６０の具体的な着脱構造を説明する。
【００５７】
図１６〜図１８は、カバー部材６０側のフック６４をタブレット型ＰＣ１２側の係合穴２０（１９）に係合させる動作を模式的に示す平面断面図であり、図１９は、カバー部材６０側のフック６４をタブレット型ＰＣ１２側の係合穴２０（１９）に係合させた状態からロック解除部材６８を操作した状態を模式的に示す平面断面図である。
【００５８】
図１６〜図１９に示すように、装着部６２は、係合穴２０（１９）に係合するフック６４と、ロック穴７０に挿入されるロックピン６６と、ロックピン６６のロック穴７０への挿入状態を解除するロック解除部材６８とを備える。
【００５９】
フック６４は、その基端側がカバー部材６０の筐体内で固定されている。フック６４は、その先端側が一側面６０ａから突出し、この突出した先端に係合爪部６４ａを有する。係合爪部６４ａは、カバー部材６０の一側面６０ａをタブレット型ＰＣ１２の一側面１２ａに摺接させるようにスライドさせることで係合穴２０の開口縁部２０ａに係止される。
【００６０】
開口縁部２０ａに係止される係合爪部６４ａの内面には、傾斜面６４ｂが形成されている。傾斜面６４ｂは、フック６４の開口縁部２０ａに対する係合方向（図１６〜図１９中で右方向）に向かってタブレット型ＰＣ１２側に傾斜している。傾斜面６４ｂの傾斜角度θは、フック６４の大きさや係合穴２０（１９）の開口縁部２０ａの板厚等に応じて適宜設定すればよいが、例えば数度程度に設定される。
【００６１】
ロックピン６６は、カバー部材６０の一側面６０ａから出没可能である。カバー部材６０内に配置されたロックピン６６の基端側には、受圧面６６ａ及びばね支持面６６ｂが設けられている。
【００６２】
受圧面６６ａは、図１６中で一側面６０ａに沿う方向で右側に向かって次第に一側面６０ａから離間する方向に傾斜した傾斜面である。ばね支持面６６ｂは、一側面６０ａと平行に設けられた面である。ばね支持面６６ｂにはカバー部材６０内に配設された板ばね８０の作用端部８０ａが当接支持されている。板ばね８０は、一端部に作用端部８０ａが設けられ、他端部が渦巻き状に屈曲された状態でカバー部材６０の筐体に設けられた支持片８２に支持されている。板ばね８０の作用端部８０ａは、ばね支持面６６ｂを介してロックピン６６を一側面６０ａから突出する進動方向（図１６中で上方向）に常時付勢している。
【００６３】
図１６に示すように、装着部６２では、フック６４とロックピン６６との間のピッチと、係合穴２０（１９）とロック穴７０との間のピッチとが異なる。つまり、図１７に示すようにフック６４を係合穴２０（１９）に挿入した状態では、ロックピン６６がロック穴７０に挿入されず、ロックピン６６はタブレット型ＰＣ１２側の一側面１２ａに当接してカバー部材６０内に没した状態となる。
【００６４】
ロック解除部材６８は、カバー部材６０内で左右方向にスライド可能に設けられている。ロック解除部材６８は、カバー部材６０の他側面６０ｂに形成された開口６０ｃに配設された操作片６８ａと、カバー部材６０内に配設された押圧面６８ｂ及びばね支持面６８ｃとを有する。
【００６５】
操作片６８ａは、カバー部材６０の他側面６０ｂの長手方向（左右方向）に沿った開口６０ｃ内で左右方向に移動可能に設けられた突起である。押圧面６８ｂは、図１６中で一側面６０ａに沿う方向で左側に向かって次第に一側面６０ａに近接する方向に傾斜した傾斜面である。押圧面６８ｂはロックピン６６の受圧面６６ａと対向している。ばね支持面６８ｃは、一側面６０ａと直交する方向の面である。
【００６６】
ばね支持面６８ｃには、カバー部材６０内に配設されたコイルばね８４の一端部が支持されている。コイルばね８４の他端部は、カバー部材６０の筐体に設けられた支持片８６に支持されている。コイルばね８４は、ばね支持面６８ｃを介してロック解除部材６８を一側面６０ａに沿う方向で押圧面６８ｂがロックピン６６の受圧面６６ａに近接する進動方向（図１６中で左方向）に常時付勢している。
【００６７】
次に、タブレット型ＰＣ１２に対するカバー部材６０の着脱動作を説明する。
【００６８】
カバー部材６０をタブレット型ＰＣ１２に装着する際には、図１３及び図１６に示すように装着部６２を構成する各フック６４をタブレット型ＰＣ１２側の各係合穴１９，２０に対向する位置に設定する。この状態では、カバー部材６０は一側面６０ａがタブレット型ＰＣ１２の一側面１２ａに対向配置されると共に、その左右両端部がタブレット型ＰＣ１２の左右両端部から一方側（フック６４の係合穴１９，２０に対する係合解除方向。図１３中で右方向）に位置ずれして配置される。
【００６９】
続いて、図１７に示すように各フック６４を各係合穴１９，２０に挿入すると、カバー部材６０の一側面６０ａがタブレット型ＰＣ１２の一側面１２ａに当接又は近接した状態となる。この際、ロックピン６６はタブレット型ＰＣ１２の一側面１２ａに当接し、板ばね８０の付勢力に抗して一側面６０ａから没した位置に後退する。
【００７０】
次いで、フック６４を係合穴１９，２０に係合させる係合方向に向かってカバー部材６０をスライドさせる。そうすると、図１８に示すようにフック６４はその係合爪部６４ａに形成された傾斜面６４ｂが係合穴１９，２０の開口縁部２０ａ、つまり係合穴１９，２０の縁部を形成する一側面１２ａの板厚部分に摺接する。これにより、フック６４が係合方向に移動しつつ、同時にタブレット型ＰＣ１２側に移動し、フック６４が固定されたカバー部材６０自体も係合方向に移動しつつタブレット型ＰＣ１２側に近接する方向に移動する。つまりフック６４によってカバー部材６０がタブレット型ＰＣ１２側に引き寄せられる。
【００７１】
そして、図１８に示すようにフック６４が係合穴１９，２０に完全に係合した位置となり、一側面１２ａに摺接されたロックピン６６がロック穴７０まで到達すると、ロックピン６６は板ばね８０の付勢力によって一側面６０ａから突出してロック穴７０に挿入される。
【００７２】
これにより、カバー部材６０はフック６４によるタブレット型ＰＣ１２側へのガイド作用によってその一側面６０ａがタブレット型ＰＣ１２の一側面１２ａに密着した状態となる。同時に、ロック穴７０に挿入されたロックピン６６の規制作用によってフック６４の係合穴１９，２０からの係合解除方向への移動が規制された状態となる。その結果、カバー部材６０がタブレット型ＰＣ１２に対して一体的に安定して装着される。
【００７３】
一方、図１８に示す装着状態を解除する際は、ロック解除部材６８の操作片６８ａを指先等でロック解除方向（図１８中で左方向）にスライドさせる。そうすると、図１９に示すようにロック解除部材６８がコイルばね８４の付勢力に抗してロック解除方向に移動し、押圧面６８ｂがロックピン６６の受圧面６６ａを摺接しながら押圧する。これにより、ロックピン６６は板ばね８０の付勢力に抗して一側面６０ａから没した位置に後退するため、カバー部材６０を係合解除方向にスライドさせることで、フック６４の係合穴１９，２０への係合状態が解除される。その結果、カバー部材６０をタブレット型ＰＣ１２から引き離すことでカバー部材６０をタブレット型ＰＣ１２から取り外すことができる。
【００７４】
以上のように、本実施形態に係る電子機器１０は、一側面１２ａに被装着部１６が設けられた携帯用情報機器であるタブレット型ＰＣ１２と、被装着部１６に対して着脱可能な装着部３２を有し、タブレット型ＰＣ１２の機能を拡張する拡張装置１４とを備える。そして、装着部３２は、タブレット型ＰＣ１２の被装着部１６に設けられた係合穴２０に対して挿入された非係合位置から係合穴２０に対して係合する係合位置に向かう係合方向に移動可能に設けられると共に、係合方向と直交する方向であってタブレット型ＰＣ１２を拡張装置１４側に引き寄せる引寄方向に移動可能に設けられたフック３６と、フック３６を係合方向及び引寄方向に移動させる操作部材である着脱操作レバー３８とを有する。
【００７５】
従って、拡張装置１４をタブレット型ＰＣ１２に装着する際に着脱操作レバー３８を操作してフック３６を係合穴２０に係合させる。これにより、フック３６を係合穴２０に係合させると、フック３６によってタブレット型ＰＣ１２と拡張装置１４との間が互いに引き寄せられた装着状態となる。このため、タブレット型ＰＣ１２のように一側面１２ａが薄型構造の携帯用情報機器であっても拡張装置１４をがたつきなく安定して装着することができる。
【００７６】
当該電子機器１０では、拡張装置１４の装着部３２は、タブレット型ＰＣ１２の被装着部１６に設けられた位置決め穴１９に対して挿入される位置決め突起３４を備える。これにより、拡張装置１４をタブレット型ＰＣ１２に装着した状態では、位置決め突起３４が位置決め穴１９に嵌挿された状態となる。このため、拡張装置１４とタブレット型ＰＣ１２との間を一層安定して装着することができ、互いに装着された一側面１２ａ，２４ａを回動軸として互いを回動させる方向の折り曲げ強度も向上する。
【００７７】
当該電子機器１０では、装着部３２は、フック３６をベース部材４０に対して係合解除方向に向かって付勢するコイルばね４８と、ベース部材４０を拡張装置１４の筐体２４に対して引寄方向の逆方向に向かって付勢するコイルばね５２とを有する。これにより、フック３６及びベース部材４０のがたつきが防止されると共に、着脱操作レバー３８のフック押圧部３８ａ及びベース押圧部３８ｂでフック３６及びベース部材４０を円滑に押圧移動させることができる。
【００７８】
当該電子機器１０では、フック３６とベース部材４０との間にはコイルばね５４が介在しており、装着部３２はベース部材４０が引寄方向に移動した際にフック３６をコイルばね５４を介して引寄方向に移動させる。すなわち、着脱操作レバー３８によってフック３６で係合穴２０の開口縁部２０ａを引き寄せる際に、着脱操作レバー３８で押圧されるベース部材４０とフック３６との間にコイルばね５４が介在している。このため、フック３６の係合爪部３６ａを係合穴２０の開口縁部２０ａに確実に密着させることができる。しかも、フック３６は、コイルばね５４によって係合爪部３６ａが係合穴２０の開口縁部２０ａを引寄方向に弾性的に付勢した状態となるため、フック３６と係合穴２０との間が強固にがたつきなく係合した状態となる。
【００７９】
また、本実施形態に係る電子機器１０は、一側面１２ａに被装着部１６が設けられた携帯用情報機器であるタブレット型ＰＣ１２と、被装着部１６に対して着脱可能な装着部６２を有し、タブレット型ＰＣ１２の一側面１２ａを覆うカバー部材６０とを備える。そして、装着部６２は、タブレット型ＰＣ１２の被装着部１６に設けられた係合穴１９，２０に対して挿入された非係合位置から係合位置に移動することで係合穴１９，２０の開口縁部２０ａに係止される係合爪部６４ａが設けられると共に、開口縁部２０ａに対する係合方向に向かってタブレット型ＰＣ１２側に傾斜した傾斜面６４ｂを係合爪部６４ａに設けたフック６４と、フック６４が係合穴１９，２０に係合した状態で、被装着部１６に設けられたロック穴７０に挿入されることで、フック６４の係合方向とは逆方向の移動を規制するロックピン６６とを有する。
【００８０】
従って、タブレット型ＰＣ１２にカバー部材６０を装着してその一側面１２ａを覆う場合には、カバー部材６０のフック６４をタブレット型ＰＣ１２側の係合穴１９，２０に挿入し、カバー部材６０を係合方向にスライドさせる。これにより、フック６４は、その係合爪部６４ａに設けた傾斜面６４ｂが係合穴１９，２０の開口縁部２０ａに摺接する。その結果、フック６４が係合方向に移動しつつタブレット型ＰＣ１２側に移動することで、カバー部材６０自体も係合方向に移動しつつタブレット型ＰＣ１２側に近接する方向に移動し、カバー部材６０とタブレット型ＰＣ１２とが確実に密着した装着状態となる。このため、フック６４に傾斜面６４ｂを設けた簡素な構造でフック６４を係合穴１９，２０に強固に安定して係合させることができ、カバー部材６０をタブレット型ＰＣ１２に対して安定した状態で且つ強固に装着することができる。しかもフック６４が係合穴１９，２０に係合した状態では、ロックピン６６がタブレット型ＰＣ１２側のロック穴７０に挿入される。その結果、ロック穴７０に挿入されたロックピン６６の規制作用によってフック６４の係合穴１９，２０からの係合解除方向への移動が規制された状態となり、カバー部材６０とタブレット型ＰＣ１２の装着状態が一層安定し、カバー部材６０の脱落防止が図られる。
【００８１】
当該電子機器１０では、フック６４はカバー部材６０の筐体に固定されており、ロックピン６６は装着部６２が被装着部１６に対向する方向に沿ってカバー部材６０の筐体から進退可能な状態で弾性支持されている。これにより、カバー部材６０をスライドさせることでフック６４を係合穴１９，２０に係合させることができる。また、ロックピン６６はロック穴７０以外でタブレット型ＰＣ１２の一側面１２ａに当接した際には没し、ロック穴７０に配置された際は突出するため、円滑な装着動作が可能となる。
【００８２】
当該電子機器１０では、カバー部材６０には、ロックピン６６のロック穴７０に対するロック状態を解除するロック解除部材６８が設けられ、ロックピン６６のロック状態を解除する際のロック解除部材６８の操作方向と、フック６４の係合穴１９，２０に対する係合状態を解除する際のカバー部材６０の移動方向とが同一方向（図１９中で左方向）に設定されている。これにより、ロック解除部材６８によってロックピン６６をロック解除操作する動作に続いて、フック６４の係合穴１９，２０への係合状態を解除する係合解除方向へとカバー部材６０を円滑に移動させることができる。このため、カバー部材６０をタブレット型ＰＣ１２から取り外す際の操作性が向上する。
【００８３】
なお、本発明は、上記した実施形態に限定されるものではなく、本発明の主旨を逸脱しない範囲で自由に変更できることは勿論である。
【００８４】
上記実施形態では、拡張装置１４の装着部３２にフック３６を２個設け、カバー部材６０の装着部６２にフック６４を６個設けた構成を例示したが、フック３６，６４の設置数は適宜変更可能である。但し、カバー部材６０は拡張装置１４に比べて細径棒状であり、曲げ変形に対する剛性の点で拡張装置１４よりも劣るため、装着部６２のフック６４は装着部３２のフック３６よりも多く設置することが望ましい。
【００８５】
上記実施形態では、カバー部材６０の装着部６２として傾斜面６４ｂを設けたフック６４とロックピン６６とを備えた構成を設けるものとしたが、この装着部６２は拡張装置１４の装着部３２に代替して設けてもよい。
【００８６】
上記実施形態では、カバー部材６０の装着部６２を構成する全てのフック６４に傾斜面６４ｂを設けた構成を例示したが、例えばカバー部材６０の中央に対して左側及び右側に設けた１個ずつのフック６４にのみ傾斜面６４ｂを設けた構成等としてもよい。
【符号の説明】
【００８７】
１０  電子機器
１２  タブレット型ＰＣ
１２ａ，２４ａ，６０ａ  一側面
１２ｂ  ディスプレイ
１２ｃ  背面
１４  拡張装置
１６  被装着部
１８  スタンド部
１９  位置決め穴
１９，２０  係合穴
２０ａ  開口縁部
２２，２３  端子
２４  筐体
２５，２６  接続端子部
３２，６２  装着部
３４  位置決め突起
３６，６４  フック
３６ａ，６４ａ  係合爪部
３６ｂ  フック側第１カム面
３８  着脱操作レバー
３８ａ  フック押圧部
３８ｂ  ベース押圧部
４０  ベース部材
４４  スライダ部
４４ａ  フック側第２カム面
４６  中継部材
４８，５２，５４，８４  コイルばね
５０  ベーススライダ部材
５０ｂ  ベース側カム面
５８  レバー収容凹部
６０  カバー部材
６４ｂ  傾斜面
６６  ロックピン
６８  ロック解除部材
６８ａ  操作片
７０  ロック穴
８０  板ばね 
【図１】
2017116988.tif 000003
【図２】
2017116988.tif 000004
【図３】
2017116988.tif 000005
【図４】
2017116988.tif 000006
【図５】
2017116988.tif 000007
【図６】
2017116988.tif 000008
【図７】
2017116988.tif 000009
【図８】
2017116988.tif 000010
【図９】
2017116988.tif 000011
【図１０】
2017116988.tif 000012
【図１１】
2017116988.tif 000013
【図１２】
2017116988.tif 000014
【図１３】
2017116988.tif 000015
【図１４】
2017116988.tif 000016
【図１５】
2017116988.tif 000017
【図１６】
2017116988.tif 000018
【図１７】
2017116988.tif 000019
【図１８】
2017116988.tif 000020
【図１９】
2017116988.tif 000021
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
一側面に被装着部が設けられた携帯用情報機器と、前記被装着部に対して着脱可能な装着部を有し、前記携帯用情報機器の機能を拡張する拡張装置とを備え、前記装着部を前記被装着部に装着することで前記拡張装置を前記携帯用情報機器に対して装着可能な電子機器であって、
前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、
前記フックを前記係合方向の逆方向である係合解除方向に向かって付勢する第１弾性部材と、
前記フックを前記引寄方向の逆方向に向かって付勢する第２弾性部材と、
前記フックを前記第１弾性部材の付勢力に抗して前記係合方向に移動させると共に、前記第２弾性部材の付勢力に抗して前記引寄方向に移動させることで、前記フックを前記係合穴に対して係合させると共に、前記フックを介して前記携帯用情報機器と前記拡張装置との間を互いに引き寄せる操作部材と、を有することを特徴とする電子機器。
【請求項２】
一側面に被装着部が設けられた携帯用情報機器と、前記被装着部に対して着脱可能な装着部を有し、前記携帯用情報機器の機能を拡張する拡張装置とを備え、前記装着部を前記被装着部に装着することで前記拡張装置を前記携帯用情報機器に対して装着可能な電子機器であって、
前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、
前記フックを前記係合方向及び前記引寄方向に移動させる操作部材と、を有し、
前記装着部は、前記フックを前記係合方向及び該係合方向の逆方向である係合解除方向に移動可能に支持したベース部材を有し、
前記操作部材は、前記フックのフック側カム面を押圧することで該フックを前記係合方向に移動させるフック押圧部と、前記ベース部材のベース側カム面を押圧することで前記ベース部材を前記引寄方向に移動させるベース押圧部とを有することを特徴とする電子機器。
【請求項３】
請求項２記載の電子機器において、
前記装着部は、前記携帯用情報機器の被装着部に設けられた位置決め穴に対して挿入される位置決め突起を備えることを特徴とする電子機器。
【請求項４】
請求項２又は３記載の電子機器において、
前記装着部は、前記フックを前記ベース部材に対して前記係合解除方向に向かって付勢する第１弾性部材と、
前記ベース部材を前記拡張装置の筐体に対して前記引寄方向の逆方向に向かって付勢する第２弾性部材とを有することを特徴とする電子機器。
【請求項５】
請求項４記載の電子機器において、
前記フックと前記ベース部材との間には、第３弾性部材が介在しており、
前記装着部は、前記ベース部材が前記引寄方向に移動した際に前記フックを前記第３弾性部材を介して前記引寄方向に移動させることを特徴とする電子機器。
【請求項６】
請求項２〜５のいずれか１項に記載の電子機器において、
前記操作部材は、前記拡張装置の筐体の外面に対して横臥した装着位置から前記外面から起立した装着解除位置に回動可能に設けられたレバー部材であることを特徴とする電子機器。
【請求項７】
請求項１〜６のいずれか１項に記載の電子機器において、
前記携帯用情報機器は、タッチ操作可能なディスプレイを備えたタブレット型のパーソナルコンピュータであることを特徴とする電子機器。
【請求項８】
被装着部が設けられた携帯用情報機器の前記被装着部に対して着脱可能な装着部を有し、前記携帯用情報機器の機能を拡張する電子機器の拡張装置であって、
前記装着部は、前記携帯用情報機器の被装着部に設けられた係合穴に対して挿入された非係合位置から前記係合穴に対して係合する係合位置に向かう係合方向に移動可能に設けられると共に、該係合方向と直交する方向であって前記携帯用情報機器を前記拡張装置側に引き寄せる引寄方向に移動可能に設けられたフックと、
前記フックを前記係合方向及び前記引寄方向に移動させる操作部材と、を有し、
前記装着部は、前記フックを前記係合方向及び該係合方向の逆方向である係合解除方向に移動可能に支持したベース部材を有し、
前記操作部材は、前記フックのフック側カム面を押圧することで該フックを前記係合方向に移動させるフック押圧部と、前記ベース部材のベース側カム面を押圧することで前記ベース部材を前記引寄方向に移動させるベース押圧部とを有することを特徴とする電子機器の拡張装置。